(57)【要約】【課題】簡便な設備で、ダイオキシン類等の有害物質を無害化する有害物質の無害化装置を提供すること。【解決手段】筐体４の内部にマイクロ波を照射する複数台のマイクロ波照射機構２を備えた有害物質を無害化する無害化装置１において、隣接するマイクロ波照射機構２を、互いの照射口が直角になるように配設する。【選択図】図２
2007301552.tif 000002
【特許請求の範囲】
【請求項１】
筐体内部にマイクロ波を照射する複数台のマイクロ波照射機構を備えた有害物質を無害化する無害化装置において、隣接するマイクロ波照射機構を、互いの照射口が直角になるように配設したことを特徴とする有害物質の無害化装置。
【発明の詳細な説明】
【技術分野】
【０００１】
本発明は、ダイオキシン類等の有害物質を無害化する有害物質の無害化装置に関するものである。
【背景技術】
【０００２】
従来、例えば、濾過式集塵機で使用した使用済み濾布は、集塵機を設置する設備内の焼却炉で焼却処分するか、産業廃棄物処理の一定の免許を有する産業廃棄物処理業者等に委託し、灰溶融炉に投入し処理するか埋め立てによる処分などが行われていた。
また、本願発明者等によってダイオキシン類の除去方法として、配管内を気体により輸送せしめる飛灰の輸送に際し、輸送配管適所でマイクロ波又は紫外線を照射しダイオキシン類を除去する方法が提案されている。
【発明の開示】
【発明が解決しようとする課題】
【０００３】
近年ダイオキシン類の人体への悪影響を最小限に抑制する目的で、平成１４年１２月１日以降、「廃棄物焼却炉に係るばいじん等に含まれるダイオキシン類の量の基準及び測定の方法に関する省令」により、廃棄物中に含有されるダイオキシン類の含有濃度は、集塵灰１グラムにつき３ナノグラム以下に規制されることとなり、原則として埋め立て処分等される廃棄物に対してもダイオキシン類を除去する措置を施す必要が生じることとなった。
本発明はかかる点に鑑み、簡便な設備で、ダイオキシン類等の有害物質を無害化する有害物質の無害化装置を提供することを目的とする。
【課題を解決するための手段】
【０００４】
上記目的を達成するため、本発明の有害物質の無害化装置は、筐体内部にマイクロ波を照射する複数台のマイクロ波照射機構を備えた有害物質を無害化する無害化装置において、隣接するマイクロ波照射機構を、互いの照射口が直角になるように配設したことを特徴とする。
【発明の効果】
【０００５】
本発明の有害物質の無害化装置によれば、ダイオキシン類等の有害物質を、マイクロ波の照射により確実に無害化することができる。
そして、隣接するマイクロ波照射機構を、互いの照射口が直角になるように配設することにより、反射するマイクロ波が互いの照射口に逆行し、マイクロ波照射装置の内部を破壊することを防止するとともに、マイクロ波同士が干渉することを有効に防止することができる。
【発明を実施するための最良の形態】
【０００６】
以下、本発明の有害物質の無害化装置の実施の形態を、図面に基づいて説明する。
【実施例１】
【０００７】
図１は、本発明の有害物質の無害化装置を使用済み濾布の無害化装置に適用した全体図を示す。
【０００８】
この使用済み濾布の無害化装置１は、使用済み濾布ロールＲを移送する移送機構３上に、下面を開放した筐体４を配設し、該筐体４の内部を隔壁５と天井８によって筐体４の内部を区画し、さらに隔壁５の下方には下面を開放した遮蔽用天井６を配備し、遮蔽用天井６には使用済み濾布ロールＲの移行方向を遮るように、遮蔽部材７を吊設せしめ、遮蔽用天井６と遮蔽部材７によって区画された空間を遮蔽室Ｂとし、天井８と隔壁５によって区画される空間を照射室Ａとして構成するものである。
【０００９】
照射室Ａの天井８にはマイクロ波照射装置２を配備する。
このマイクロ波照射装置２は、１部屋に１個設けるようにするほか、２台のマイクロ波照射装置２を１室に配備するときは、図２に示すように互いの照射口が直角になるように配備する。
これは、平行に照射口を配備した場合、反射するマイクロ波が互いの照射口に逆行し、マイクロ波照射装置２の内部を破壊するおそれがあるからである。
【００１０】
移送機構３は、図例の如くベルトコンベアなどを用い、使用済み濾布ロールＲを整列させて照射室Ａと遮蔽室Ｂに規則正しく交互に進入させるように図３に示す如くコンベア表面に突起部３’を設けることが好ましい。
【００１１】
遮蔽部材７は、ノレン状のカーテンである例を示したがこれに限られることなく鉄製のシャッターであってもよく、この場合、移送機構３の移送に合わせてシャッターを開閉するように構成する。
【００１２】
９は、使用済み濾布ロールＲを移送機構３上に押し出すためのプッシャーを示し、油圧・空圧のシリンダ等を用いることが好ましい。
【００１３】
上記構成において、濾過式集塵機で使用した使用済み濾布ロールＲを適宜手段でプッシャー９の前に並べ、プッシャー９によって無害化装置１の筐体４方向に押し込むことにより、無害化装置１の入り口Ｉの遮蔽部材７’を開きつつ使用済み濾布ロールＲは無害化装置１の内部に送り込む。
【００１４】
最初に送り込まれる使用済み濾布ロールＲは、１つ目の遮蔽室Ｂを通過し、１つ目の照射室Ａに送り込まれる。この際、２つ目の使用済み濾布ロールＲは１つ目の遮蔽室Ｂに入り照射室Ａ内で使用済み濾布ロールＲはマイクロ波照射装置２から照射されるマイクロ波により無害化される。
【００１５】
使用済み濾布ロールＲを無害化するために発明者等の実験によると１本５ｋｇの使用済み濾布ロールＲの場合、１０ｋｗのマイクロ波照射装置２（マイクロ発信器）によって、５分間の照射で移送機構３を駆動して使用済み濾布ロールＲを順次送り最後の遮蔽室Ｂを出たときに使用済み濾布ロールＲは無害化された濾布ロールＲ’となり、移送機構３によってさらに送られ、無害化装置１の出口Ｏに備えられた遮蔽部材７”を押し開きつつ無害化装置１外部に搬送され、適宜収納箱１０に蓄えられるものである。
【００１６】
図４は、移動型搬送車両２０に上述した使用済み濾布の無害化装置１を載置した例を示し、この例によるときは、移送機構３のコンベアの駆動用電源の他、マイクロ波照射装置２の稼動用の電源は、搬送車両２０に備えるバッテリーを用いることができる。
【００１７】
以上、本発明の有害物質の無害化装置を使用済み濾布の無害化装置に適用した実施例に基づいて説明したが、本発明は上記実施例に記載した構成に限定されるものではなく、その趣旨を逸脱しない範囲において適宜その構成を変更することができるものである。
【産業上の利用可能性】
【００１８】
本発明の有害物質の無害化装置は、簡便な設備で、ダイオキシン類等の有害物質を無害化することができることから、ダイオキシン類等の有害物質の処理を行うためのものを始めとするマイクロ波処理装置に広く用いることができる。
【図面の簡単な説明】
【００１９】
【図１】本発明の有害物質の無害化装置を適用した使用済み濾布の無害化装置の全体を示す側面図である。
【図２】同使用済み濾布の無害化装置の一部を示す平面図である。
【図３】同使用済み濾布の無害化装置の移送機構の詳細を示す側面図である。
【図４】同使用済み濾布の無害化装置を搬送用車両に載置した例を示す側面図である。
【符号の説明】
【００２０】
１    使用済み濾布の無害化装置
２    マイクロ波照射機構
３    移送機構
４    筐体
２０  移動型搬送車両
Ａ    照射室
Ｂ    遮蔽室
【図１】
2007301552.tif 000003
【図２】
2007301552.tif 000004
【図３】
2007301552.tif 000005
【図４】
2007301552.tif 000006